(57)【特許請求の範囲】
【請求項１】
記録媒体としてのディスクを収納保持せしめる商品ケースと、該ディスクを収納した内ケースを挿入せしめる展示ケースとを兼用可能とした外装ケースであり、
上部に開口部(6)を有する収納室(7)を形成する外装ケース(1)と、該外装ケース(1)に着脱自在に内装された着脱手段(2)とから構成され、
着脱手段(2)は、外装ケース(1)の開口部(6)を施蓋可能とする閉鎖手段(18)を設けた上側板部(22)と、該閉鎖手段(18)から開口部(6)の下方に離間した位置でディスク(D)を着脱自在に保持する保持手段(19)を設けた下側板部(23)とを備え、上側板部(22)と下側板部(23)を相互に展開状態と重合状態の間で反転自在となるように連結するヒンジ手段(24)を設け、上側板部(22)と下側板部(23)を相互に重合した状態で外装ケース(1)に挿入された内ケース(C)を下方から支持可能とする支持手段(20)を備えており、
上側板部(22)の裏面にリブ状の上側係止部(30)を設けると共に、下側板部(23)の裏面にリブ状の下側係止部(31)を設け、ヒンジ手段(24)を介して上側板部(22)と下側板部(23)を重合したとき、上側係止部(30)と下側係止部(31)を上下に重なるように配置しており、
上側板部(22)と下側板部(23)を展開した状態で着脱手段(2)を外装ケース(1)の上側に配置し、閉鎖手段(18)により外装ケース(1)の開口部(6)を施蓋した位置において、外装ケース(1)には、前記上側係止部(30)と下側係止部(31)を嵌入せしめる第一係止手段(33) が設けられており、
上側板部(22)と下側板部(23)を重合した状態で着脱手段(2)を外装ケース(1)の下側に位置せしめ、支持手段(20)により外装ケース(1)に挿入された内ケース(D)を下方から支持可能とした位置において、外装ケース(1)には、前記上側係止部(30)を嵌入せしめる第二係止手段(35) が設けられており、該第二係止手段(35)は、着脱手段(2)を裏返したとき、前記下側係止部(31)を嵌入せしめるように構成されていることを特徴とする記録媒体ディスクの外装ケース。
【請求項２】
収納室(7)に高さ寸法(L)を相違する複数サイズの内ケース(C)を選択的に収納したとき、内ケース(C)の上端部を外装ケース(1)の開口部(6)から所定寸法(hp)だけ突出せしめるように、第二係止手段(35)が外装ケース(1)の上下方向に関して複数段(35a〜35g)にわたり設けられて成ることを特徴とする請求項１に記載の記録媒体ディスクの外装ケース。
【発明の詳細な説明】
【０００１】
【発明の属する技術分野】
本発明は、例えば録音済のＣＤや録画済のＤＶＤ等のようなソフトを格納した記録媒体としてのディスクを収納する外装ケースであり、販売等のためにディスクを収納保持せしめた状態で提供される商品ケースと、レンタル等のためにディスクを商品ケースとは別の内ケースに格納すると共に、該内ケースを挿入せしめた状態で提供される展示ケースとを兼用可能となるように構成した外装ケースに関する。
【０００２】
【従来の技術】
従来、記録媒体としてのディスクは、商品ケースに収納された状態で販売に供されている。商品ケースは、蓋体とケース本体が相互に側縁をヒンジ手段により回動自在に枢結され、ヒンジ手段を介して回動される蓋体によりケース本体を施蓋せしめる構成とされており、ケース本体の内部にディスクを着脱自在に保持せしめる保持手段が設けられている。通常、商品ケースの外側面には、ディスクの記録内容を示す写真や文字等の情報を表示したジャケットシートが添設されている。従って、ディスクは、ジャケットシートにより化粧された商品ケースに収納された状態（以下メーカ出し状態という）で販売され、顧客は、ディスクを商品ケースに収納された状態で購入する。
【０００３】
ところで、ディスクをレンタルショップでレンタルに供する場合、店舗において、ディスクは商品ケースとは別の内ケースに格納され、商品ケースのジャケットシートを移し替えた展示ケースに内ケースを挿入した状態（以下レンタル状態という）で陳列棚に陳列される。従って、レンタル時、ディスクは、内ケースに格納した状態で顧客に引き渡され、展示ケースは、空の状態で店舗に残存せしめられる。一般的に、展示ケースは上部に開口部を有しており、内ケースの上端部が展示ケースの上部開口から突出するように構成されている。従って、顧客や店員は、突出せしめられた内ケースの上端部を摘むことにより、展示ケースから容易に取出すことができる。また、顧客は、陳列棚に陳列された展示ケースから突出する内ケースの上端部を視認することにより、展示ケースの内部に内ケースが存在する貸し出し可能な「貸し出し待機中」の状態であるか、或いは、先客に貸し出されることにより展示ケースを空とした「貸し出し済」の状態であるかを容易に判別できる。
【０００４】
【発明が解決しようとする課題】
従来技術によれば、レンタルショップにおいて、ディスクは、商品ケースから内ケースに移し替えられ、内ケースを展示ケースに挿入した状態で陳列される。この際、商品ケースの外側面に添設されたジャケットが展示ケースの外側面に移し替えられる。然しながら、最早、商品ケースは必要でないので、廃棄されるべき運命にある。このため、多量の商品ケースが廃棄され、資源消費の問題と廃棄物処理の問題が生じている。
【０００５】
また、レンタルショップに対して供給される内ケースは、現在のところ寸法規格が存在しない。内ケースの幅寸法は、ディスクの直径に対応しているため、ほとんど差を有しないが、上下方向の高さ寸法は、異なる種々のものが提供されている。従って、内ケースの高さ寸法差に応じて、高さ寸法を決定された種々の寸法の展示ケースが提供されており、このため、レンタルショップにおいては、相互に寸法を対応せしめた多種類の内ケース及び展示ケースを在庫として保有しなければならないという問題がある。
【０００６】
【課題を解決するための手段】
本発明は、商品ケースと展示ケースを兼用できるようにした外装ケースを提供するものであり、メーカ出し状態の商品ケースとレンタル状態の展示ケースを同一の外装ケースで兼用可能にすることにより、従来のようなジャケットシートの移し替えの煩雑を解消し、商品ケース廃棄の問題を解決したものである。更に、展示ケースとして使用するレンタル状態において、上下高さ寸法を相違する既存の内ケースに対して適応可能とすることにより、レンタルショップにおける在庫保有の問題を解決したものである。
【０００７】
そこで、本発明が手段として構成したところは、記録媒体としてのディスクを収納保持せしめる商品ケースと、該ディスクを収納した内ケースを挿入せしめる展示ケースとを兼用可能とした外装ケースであり、上部に開口部(6)を有する収納室(7)を形成する外装ケース(1)と、該外装ケース(1)に着脱自在に内装された着脱手段(2)とから構成され、着脱手段(2)は、外装ケース(1)の開口部(6)を施蓋可能とする閉鎖手段(18)を設けた上側板部(22)と、該閉鎖手段(18)から開口部(6)の下方に離間した位置でディスク(D)を着脱自在に保持する保持手段(19)を設けた下側板部(23)とを備え、上側板部(22)と下側板部(23)を相互に展開状態と重合状態の間で反転自在となるように連結するヒンジ手段(24)を設け、上側板部(22)と下側板部(23)を相互に重合した状態で外装ケース(1)に挿入された内ケース(C)を下方から支持可能とする支持手段(20)を備えており、上側板部(22)の裏面にリブ状の上側係止部(30)を設けると共に、下側板部(23)の裏面にリブ状の下側係止部(31)を設け、ヒンジ手段(24)を介して上側板部(22)と下側板部(23)を重合したとき、上側係止部(30)と下側係止部(31)を上下に重なるように配置しており、上側板部(22)と下側板部(23)を展開した状態で着脱手段(2)を外装ケース(1)の上側に配置し、閉鎖手段(18)により外装ケース(1)の開口部(6)を施蓋した位置において、外装ケース(1)には、前記上側係止部(30)と下側係止部(31)を嵌入せしめる第一係止手段(33) が設けられており、上側板部(22)と下側板部(23)を重合した状態で着脱手段(2)を外装ケース(1)の下側に位置せしめ、支持手段(20)により外装ケース(1)に挿入された内ケース(D)を下方から支持可能とした位置において、外装ケース(1)には、前記上側係止部(30)を嵌入せしめる第二係止手段(35) が設けられており、該第二係止手段(35)は、着脱手段(2)を裏返したとき、前記下側係止部(31)を嵌入せしめるように構成されている点にある。
【００１０】
本発明の好ましい実施形態において、収納室(7)に高さ寸法(L)を相違する複数サイズの内ケース(C)を選択的に収納したとき、内ケース(C)の上端部を外装ケース(1)の開口部(6)から所定寸法(hp)だけ突出せしめるように、第二係止手段(35)が外装ケース(1)の上下方向に関して複数段(35a〜35g)にわたり設けられている。
【００１１】
【発明の実施の形態】
以下図面に基づいて本発明の好ましい実施形態を詳述する。
【００１２】
本発明は、外装ケース１と着脱手段２とから成る構成であり、着脱手段２の詳細を図１に示し、着脱手段２と共に外装ケース１の詳細を図２及び図３に示している。
【００１３】
（外装ケースの構成）
図２及び図３に示すように、外装ケース１は、保形性のある合成樹脂により一体成形されており、前面を開放する本体部３と、該本体部３の側縁に背壁４を介して連設された蓋部５とを一連に形成しており、背壁４の両側縁に形成したヒンジ４ａ、４ａを介して蓋部５により本体部３の前面を施蓋したとき、上部に開口部６を有する収納室７を画成する外装ケース１を構成する。即ち、蓋部５により収納室７の前壁８を構成すると共に、本体部３により収納室７の後壁９を構成する。本体部３は、底壁１０と、背壁４に対向する腹壁１１を一体に備え、更に、腹壁１１の内側に平行なリブ状の第一側壁１２と、背壁４の内側に平行なリブ状の第二側壁１３とを一体に備えており、底壁１０及び両側壁１２、１３により収納室７の底部及び両側部を画成し、前壁８と後壁９により収納室７の前後部を画成する。従って、収納室７の幅寸法ＷＳは、左右両側壁１２、１３の内法面の間隔寸法により規定されており、後述する内ケースの幅寸法Ｗと、ディスクＤの直径Ｒに対して、ＷＳ≧Ｗ＞Ｄの関係にある。
【００１４】
蓋部５は、ヒンジ４ａ、４ａを介して背壁５と共に回動せしめることにより本体部３の前面開放部を施蓋したとき、腹壁１１の内側に嵌入される縦リブ壁１４と、底壁１０の内側に嵌入される横リブ壁１５とを一体に備えている。この際、腹壁１１の内側に、縦リブ壁１４を嵌合せしめるテーパ状のリブ１６を設けておくのが好ましい。収納室７の底部に位置するように、蓋部５の横リブ壁１５から前壁８の内側面に沿って延びる一対の支持片１７が設けられており、横リブ壁１５の内側から収納室７に向けて高さｈだけ延びている。尚、支持片１７は、蓋部５に代えて本体部３に設けても良く、或いは、蓋部５と本体部３の両方に設けても良い。
【００１５】
（着脱手段の構成）
着脱手段２は、図１に示すように、保形性のある合成樹脂により成形されており、外装ケース１の開口部６を施蓋可能とする帯板状の閉鎖手段１８と、閉鎖手段１９から離間した位置でディスクＤを着脱自在に保持する保持手段１９と、後述するように内ケースを下方から支持可能とする支持手段２０とを備え、更に、閉鎖手段１８と保持手段１９の離間距離を伸縮自在とする折畳み手段２１を備えている。
【００１６】
図示実施形態において、折畳み手段２１は、閉鎖手段１８を設けた上側板部２２と、保持手段１９を設けた下側板部２３と、両板部２２、２３を相互に展開状態と重合状態の間において反転自在となるように連結するヒンジ手段２４とから構成されており、一体成形された上側板部２２と下側板部２３の間に延びる薄肉ヒンジによりヒンジ手段２４を形成している。従って、ヒンジ手段２４により、図１（Ａ）に示すような上側板部２２と下側板部２３を同一平面上に展開せしめた状態と、図１（Ｂ）に示すような上側板部２２と下側板部２３を相互に反転し重ね合わせた状態との二つの形態を可能とする。
【００１７】
図例の場合、保持手段１９は、下側板部２３の表面（便宜上、図示の状態で上側の面を表面、下側の面を裏面という）に突出して設けられており、ディスクＤの中心に位置するボス１９ａと、ディスクＤの中心孔の内周縁を保持する爪片１９ｂを備えている。そこで、前述のように上側板部２２と下側板部２３を重ね合わせたとき、保持手段１９を受入れる孔又は凹部等の受入れ部２５が上側板部２２に設けられている。
【００１８】
また、ディスクＤを保持手段１９に保持せしめた状態で、ディスクＤの周縁に臨む上側突起２６、２６と下側突起２７、２７が設けられている。上側突起２６、２６は、上側板部２２の表面に設けられており、上側板部２２と下側板部２３を重ね合わせたとき、該上側突起２６、２６を受入れる孔又は凹部等の受入れ部２８、２８が下側板部２３に設けられている。これに対して、下側突起２７、２７は、下側板部２３の表面に設けられており、上側板部２２と下側板部２３を重ね合わせたとき、該下側突起２７、２７を受入れる孔又は凹部等の受入れ部２９、２９が上側板部２２に設けられている。
【００１９】
上側板部２２及び下側板部２３の少なくとも両側縁に位置する裏面には、それぞれリブ状等に形成した上側係止部３０、３０と下側係止部３１、３１が設けられており、両側縁に位置する係止部３０、３０及び３１、３１の最外側端の間隔により規定される幅寸法ＷＥは、外装ケース１における左右両側壁１２、１３の外法面の間隔寸法により規定される幅寸法ＷＥ（図２参照）とほぼ等しい。図例の場合、上側係止部３０は、閉鎖手段１８の近傍に設けられた係止部３０ａと、ヒンジ手段２４の近傍に設けられた係止部３０ｂとから成る間隔をあけて配置された複数の係止部から構成され、同様に、下側係止部３１は、端縁の近傍に設けられた係止部３１ａと、ヒンジ手段２４の近傍に設けられた係止部３１ｂとから成る間隔をあけて配置された複数の係止部から構成されている。この際、図１（Ｂ）に示すように上側板部２２と下側板部２３を重ね合わせたとき、上側係止部３０の係止部３０ａ、３０ｂに対して、下側係止部３１の係止部３１ａ、３１ｂがそれぞれ上下に重なるように位置せしめられている。尚、上側板部２２の裏面には両側縁から離れた位置にリブ状等の座３２を設けることが任意である。
【００２０】
（第一係止手段の構成）
図４に示すように、着脱手段２は、折畳み手段２１を展開した状態で、保持手段１９にディスクＤを保持できる。この状態で着脱手段２を外装ケース１の上側に配置し、閉鎖手段１８により開口部６を施蓋した位置において、着脱手段２を外装ケース１に固定する第一係止手段３３が設けられている。図示実施形態の場合、第一係止手段３３は、図２に示すように、第一側壁１２と第二側壁１３のそれぞれに間隔をあけて形成された４個の溝３３ａ、３３ｂ、３３ｃ、３３ｄを備えており、それぞれの溝に着脱手段２の上側係止部３０ａ、３０ｂ及び下側係止部３１ｂ、３１ａを嵌入係止することにより構成される。
【００２１】
従って、着脱手段２を第一係止手段３３を介して固定し、保持手段１９にディスクＤを保持せしめた状態で、本体部３を蓋部５により施蓋せしめることにより箱形の外装ケース１を形成せしめると、上述したメーカ出し状態とされた商品ケース３４が提供される。
【００２２】
（第二係止手段の構成）
図５及び図６に示すように、着脱手段２は、ディスクＤを保持しない状態において、折畳み手段２１によりコンパクトに収縮される。この状態で着脱手段２を外装ケース１の下側において、収納室７の横断方向に配置し、支持手段２０を所定の位置に臨ませた状態で、着脱手段２を外装ケース１に固定する第二係止手段３５が設けられている。図示実施形態の場合、第一係止手段３５は、図２に示すように、第一側壁１２と第二側壁１３のそれぞれに間隔をあけて形成された多数の溝３５ａ、３５ｂ、３５ｃ、３５ｄ、３５ｅ、３５ｆを備えており、それぞれの溝に着脱手段２の上側係止部３０ａ、３０ｂを嵌入係止することにより構成される。
【００２３】
図５は、第二係止手段３５により、着脱手段２を最上段に固定した場合を例示しており、上側係止部３０ａ、３０ｂがそれぞれ溝３５ａ、３５ｃに嵌入係止されている。この状態で、本体部３を蓋部５により施蓋せしめることにより箱形の外装ケース１を形成せしめると、上述したレンタル状態とされた展示ケース３６が提供され、上部の開口部６を開放し、支持手段２０により高さ寸法をＨ１に制限された収納室７が形成される。従って、ディスクＤを格納した比較的に背の低い高さ寸法Ｌ１とされた内ケースＣ１を収納室７に挿入すると、支持手段２９により支持された内ケースＣ１は、上端部を所定高さｈｐだけ突出せしめる。
【００２４】
図６は、第二係止手段３５により、着脱手段２を最下段に固定した場合を例示しており、上側係止部３０ａ、３０ｂがそれぞれ溝３５ｅ、３５ｇに嵌入係止されている。この状態で、本体部３を蓋部５により施蓋せしめることにより箱形の外装ケース１を形成せしめると、上述したレンタル状態とされた展示ケース３６が提供され、上部の開口部６を開放し、支持手段２０により高さ寸法をＨ２まで広げた収納室７が形成される。従って、ディスクＤを格納した比較的に背の高い高さ寸法Ｌ２とされた内ケースＣ２を収納室７に挿入すると、支持手段２９により支持された内ケースＣ２は、上端部を所定高さｈｐだけ突出せしめる。
【００２５】
図示省略しているが、第二係止手段３５は、図５に示す最上段と図６に示す最下段との間において、着脱手段２を任意の複数段の位置に固定させることが可能である。図示実施形態のように７個の溝３５ａ、３５ｂ、３５ｃ、３５ｄ、３５ｅ、３５ｆ、３５ｇを設けた例においては、着脱手段の係止部３０ａ、３０ｂを、それぞれ、溝３５ａ、３５ｃに嵌入せしめた最上段と、溝３５ｂ、３５ｄに嵌入せしめた第二段と、溝３５ｃ、３５ｅに嵌入せしめた第三段と、溝３５ｄ、３５ｆに嵌入せしめた第四段と、溝３５ｅ、３５ｇに嵌入せしめた最下段とから成る合計五段の配置が可能になる。
【００２６】
上述のように、着脱手段２は、上側板部２２と下側板部２３を重ね合わせたとき、上側係止部３０の係止部３０ａ、３０ｂに対して、下側係止部３１の係止部３１ａ、３１ｂがそれぞれ上下に重なるように位置する構成とされている。従って、上述の例では、上側板部２２の上側係止部３０ａ、３０ｂを第一係止手段３３又は第二係止手段３５の溝に嵌入せしめた場合を示したが、着脱手段２を裏返し、下側板部２３の下側係止部３１ｂ、３１ａを第一係止手段３３又は第二係止手段３５の溝に嵌入せしめることが可能であり、この場合も同効である。
然しながら、本発明が図示実施形態に限定されないことは勿論であり、第二係止手段３５の段数は少なくとも二段以上の複数段を選択できるものであれば良い。更に、図示実施形態においては、閉鎖手段１８により支持手段２０を兼用せしめた例を示し、従って、閉鎖手段１８を開口部６に対向して配置せしめる構成について説明したが、上側板部２２と下側板部２３を重ね合わせた状態で端縁として現われるヒンジ手段２４の部分により支持手段２０ａ（図１（Ｂ）参照）を備えるように構成しても良い。この場合、着脱手段２は、図示した姿勢から反転せしめ、支持手段２０ａ（ヒンジ手段２４）を開口部６に対向するように配置し、係止部３０ａ、３０ｂ又は３１ｂ、３１ａを第一係止手段３３又は第二係止手段３５の溝に嵌入せしめれば良い。
【００２７】
（着脱手段を取り除いた構成）
図７は、外装ケース１をレンタル状態の展示ケース３６として使用する場合において、着脱手段２を取り除いた使用例を示している。この場合、着脱手段２が除去されているので、支持片１７、１７により高さ寸法をＨ３まで広げた収納室７が提供される。従って、ディスクＤを格納した内ケースＣ３が高さ寸法Ｌ３を最も高くしたものとされている場合でも、内ケースＣ３を収納室７に挿入すると、支持片１７、１７により支持された内ケースＣ３は、上端部を所定高さｈｐだけ突出せしめる。
【００２８】
【発明の効果】
本発明によれば、外装ケース１と着脱手段２により、メーカ出し状態で使用される商品ケース３４と、レンタル状態で使用される展示ケース３６との二つの機能を兼備することができる。従って、コストダウンは勿論、従来のような専用の商品ケースから専用の展示ケースにジャケットシートを移し替えなければならないという作業の煩雑が解消され、しかも、従来のようにレンタルショップにおいて不要となった商品ケースが廃棄されるという問題を解決できる。
【００２９】
更に、本発明によれば、レンタル状態の展示ケース３６として使用するに際して、折畳み状態の着脱手段２を第二係止手段３５を介して複数段から選択された位置に固定できるので、上下高さ寸法Ｌを相違する既存の内ケースＣに対して自在に適応せしめることが可能となり、従って、従来のようなレンタルショップにおいて高さ寸法の異なる多種類の展示ケースを在庫保有しなければならないという問題を解消できる利点がある。
【図面の簡単な説明】
【図１】本発明の外装ケースに使用する着脱手段の１実施形態を示しており、（Ａ）は展開状態を示す斜視図であり、（Ｂ）は折畳み状態を示す斜視図である。
【図２】本発明の１実施形態に関し、展開した着脱手段と外装ケースを分解状態で示す斜視図である。
【図３】本発明の１実施形態に関し、折畳んだ着脱手段と外装ケースを分解状態で示す斜視図である。
【図４】本発明の１実施形態に関し、外装ケースを商品ケースとして使用する場合を示しており、（Ａ）は斜視図、（Ｂ）は断面図である。
【図５】本発明の１実施形態に関し、外装ケースを展示ケースとして使用する場合であって、着脱手段を最上段に固定せしめた使用例を示しており、（Ａ）は斜視図、（Ｂ）は断面図である。
【図６】本発明の１実施形態に関し、外装ケースを展示ケースとして使用する場合であって、着脱手段を最下段に固定せしめた使用例を示しており、（Ａ）は斜視図、（Ｂ）は断面図である。
【図７】本発明の１実施形態に関し、外装ケースを展示ケースとして使用する場合であって、着脱手段を取り除いた使用例を示しており、（Ａ）は斜視図、（Ｂ）は断面図である。
【符号の説明】
１    外装ケース
２    着脱手段
６    開口部
７    収納室
１２、１３  側壁
１７    支持片
１８    閉鎖手段
１９    保持手段
２０、２０ａ  支持手段
２１    折畳み手段
２２    上側板部
２３    下側板部
２４    ヒンジ手段
３０（３０ａ、３０ｂ）  上側係止部
３１（３１ａ、３１ｂ）  下側係止部
３３    第一係止手段
３３ａ〜３３ｄ  溝
３４    商品ケース
３５    第二係止手段
３５ａ〜３５ｇ  溝
３６    展示ケース
Ｃ    内ケース
Ｄ    ディスク
【図１】
0003626134.tif 000002
【図２】
0003626134.tif 000003
【図３】
0003626134.tif 000004
【図４】
0003626134.tif 000005
【図５】
0003626134.tif 000006
【図６】
0003626134.tif 000007
【図７】
0003626134.tif 000008